(57)【要約】【課題】コンテンツを構成するファイルの必要性を瞬時に判断可能なコンテンツ処理装置、コンテンツ表示方法、及びプログラムを提供する。【解決手段】再生対象となるコンテンツのコンテンツ名を表示する表示手段と、コンテンツと、コンテンツ名及びコンテンツの最終再生日時を含むコンテンツに関する情報と、を記憶する記憶手段と、記憶手段に記憶されている最終再生日時と現在時刻からコンテンツごとの非再生期間を算出し、当該算出された非再生期間の長さに応じて、表示手段に表示させるコンテンツ名を構成する文字の色調を明瞭な色調から不明瞭な色調へ変化させる制御手段と、を備えることにより、コンテンツを構成するファイルの必要性を瞬時に判断することが可能となる。【選択図】図１
2010086094.tif 000002
【特許請求の範囲】
【請求項１】
再生対象となるコンテンツのコンテンツ名を表示する表示手段と、
前記コンテンツと、前記コンテンツ名及び前記コンテンツの最終再生日時を含むコンテンツに関する情報と、を記憶する記憶手段と、
前記記憶手段に記憶されている前記最終再生日時と現在時刻から前記コンテンツごとの非再生期間を算出し、当該算出された非再生期間の長さに応じて、前記表示手段に表示させる前記コンテンツ名を構成する文字の色調を明瞭な色調から不明瞭な色調へ変化させる制御手段と、を備えることを特徴とするコンテンツ処理装置。 
【請求項２】
前記制御手段は、前記非再生期間が所定期間以上となった場合に、当該コンテンツ及び当該コンテンツに関する情報を削除することを特徴とする請求項１に記載のコンテンツ処理装置。 
【請求項３】
前記制御手段は、前記非再生期間が所定期間以上となった場合に、前記コンテンツ名を不可視とすることを特徴とする請求項１に記載のコンテンツ処理装置。 
【請求項４】
前記制御手段は、前記前記コンテンツ名が不可視となってから所定期間が経過した場合に、当該コンテンツ及び当該コンテンツに関する情報を削除することを特徴とする請求項３に記載のコンテンツ処理装置。 
【請求項５】
再生対象となるコンテンツのコンテンツ名を表示させ、
前記コンテンツと、前記コンテンツ名及び前記コンテンツの最終再生日時を含むコンテンツに関する情報と、を記憶させ、
前記最終再生日時と現在時刻から前記コンテンツごとの非再生期間を算出し、当該算出された非再生期間の長さに応じて、前記コンテンツ名を構成する文字の色調を変化させることを特徴とするコンテンツ表示方法。 
【請求項６】
コンピュータに、
再生対象となるコンテンツのコンテンツ名を表示させる機能と、
前記コンテンツと、前記コンテンツ名及び前記コンテンツの最終再生日時を含むコンテンツに関する情報と、を記憶させる機能と、
前記最終再生日時と現在時刻から前記コンテンツごとの非再生期間を算出し、当該算出された非再生期間の長さに応じて、前記コンテンツ名を構成する文字の色調を変化させる機能と、を実現させるためのプログラム。
【発明の詳細な説明】
【技術分野】
【０００１】
本発明は、コンテンツ処理装置、コンテンツ表示方法、及びプログラムに関する。
【背景技術】
【０００２】
近年、転送ツール（例えば、ＷＭＰ（Windows Media（登録商標） Player）、ｉＴｕｎｅｓ）を用いてＤＡＰ（Digital Audio Player）へと音楽コンテンツを転送し、ＤＡＰに取り込んだ音楽コンテンツを鑑賞するシステムが知られている。ユーザはＰＣを用いて、手持ちの媒体（例えば、ＣＤ）からリッピングしたり、外部回線を通じてダウンロードしたりして、音楽コンテンツをデジタル信号として記憶させる。記憶された音楽コンテンツは、転送ツールやドラッグ＆ドロップ操作を通じて、ＤＡＰ内の記録媒体（例えば、ＮＡＮＤ型ＦｌａｓｈＲＯＭやＨＤＤ）へと格納される。
ＤＡＰに格納された音楽コンテンツは、アーティスト名、アルバム名、トラック名（楽曲名）、ジャンル名、年代等様々な詳細情報を有している。ユーザは、ＤＡＰに備えられた表示部に表示される詳細情報のリストを利用して所望の音楽コンテンツを選択し、再生する。なお、表示部は、例えば液晶や有機ＥＬ等のディスプレイを備えており、ユーザはディスプレイに表示される詳細情報を示すテキスト情報を認識することとなる。
【０００３】
最近のＤＡＰにおいて再生可能なコンテンツを構成するファイルの形態として、上記した音楽コンテンツを構成する音声ファイルの他、画像、映像、テキストといった様々なファイルがサポートされており、それに伴い、ＤＡＰ内に備えられる記録媒体の大容量化が進んでいる。また、記録媒体の大容量化が進むにつれ、再生可能なファイルを格納するだけでなく、ＤＡＰ本体を単にストレージデバイスと捉え、再生不能なファイルも格納する使用形態が増えている。そして、不要又は再生不能なファイルを削除する方法としては、ユーザ自身が大容量記録媒体の中から該当ファイル若しくはフォルダを見つけ出し、内容を確認した後、手動で削除する方法が一般的である。
【０００４】
例えば、特許文献１には、単にトラック名のリストのみが表示画面上に表示されている場合において、一連の楽曲グループ（アルバム単位、アーティスト単位）を他の楽曲グループと識別することが可能な技術が開示されている。これにより、ユーザは上記のような必要最小限の情報しかない場合においても、ファイルの要不要を認識し、不要なファイルを削除することが可能となる。
【特許文献１】特開２００７−３３５０５８号公報
【発明の開示】
【発明が解決しようとする課題】
【０００５】
上記したように、記録媒体の大容量化が進むにつれ、ユーザは再生の可否に関わらず様々なファイルをＤＡＰに格納するようになり、一度も視聴しない不要なファイルが増加する傾向にある。このように、不要なファイルが増加すると、ユーザが再生したいファイルを検索するのに時間がかかってしまう。
また、不要なファイルを必要なファイルと混合してしまっているため、削除対象のファイルを識別することが困難である。しかも、不要なファイルは記録媒体に格納されたままであるため、記録媒体の容量を無駄に消費してしまう。
上記特許文献１に示された技術を用いたとしても、ユーザがファイルごとに要不要を判断する必要があり、ファイルの必要性を瞬時に判断することができなかった。
【０００６】
本発明は、コンテンツを構成するファイルの必要性を瞬時に判断可能なコンテンツ処理装置、コンテンツ表示方法、及びプログラムを提供することを目的とする。
【課題を解決するための手段】
【０００７】
請求項１に記載の発明は、上記目的を達成するためになされたものであり、コンテンツ処理装置において、再生対象となるコンテンツのコンテンツ名を表示する表示手段と、前記コンテンツと、前記コンテンツ名及び前記コンテンツの最終再生日時を含むコンテンツに関する情報と、を記憶する記憶手段と、前記記憶手段に記憶されている前記最終再生日時と現在時刻から前記コンテンツごとの非再生期間を算出し、当該算出された非再生期間の長さに応じて、前記表示手段に表示させる前記コンテンツ名を構成する文字の色調を明瞭な色調から不明瞭な色調へ変化させる制御手段と、を備えることを特徴とする。
【０００８】
請求項２に記載の発明は、請求項１に記載のコンテンツ処理装置において、前記制御手段は、前記非再生期間が所定期間以上となった場合に、当該コンテンツ及び当該コンテンツに関する情報を削除することを特徴とする。
【０００９】
請求項３に記載の発明は、請求項１に記載のコンテンツ処理装置において、前記制御手段は、前記非再生期間が所定期間以上となった場合に、前記コンテンツ名を不可視とすることを特徴とする。
【００１０】
請求項４に記載の発明は、請求項３に記載のコンテンツ処理装置において、前記制御手段は、前記前記コンテンツ名が不可視となってから所定期間が経過した場合に、当該コンテンツ及び当該コンテンツに関する情報を削除することを特徴とする。
【００１１】
請求項５に記載の発明は、再生対象となるコンテンツのコンテンツ名を表示させ、前記コンテンツと、前記コンテンツ名及び前記コンテンツの最終再生日時を含むコンテンツに関する情報と、を記憶させ、前記最終再生日時と現在時刻から前記コンテンツごとの非再生期間を算出し、当該算出された非再生期間の長さに応じて、前記コンテンツ名を構成する文字の色調を変化させることを特徴とするコンテンツ表示方法である。
【００１２】
請求項６に記載の発明は、コンピュータに、再生対象となるコンテンツのコンテンツ名を表示させる機能と、前記コンテンツと、前記コンテンツ名及び前記コンテンツの最終再生日時を含むコンテンツに関する情報と、を記憶させる機能と、前記最終再生日時と現在時刻から前記コンテンツごとの非再生期間を算出し、当該算出された非再生期間の長さに応じて、前記コンテンツ名を構成する文字の色調を変化させる機能と、を実現させるためのプログラムである。
【発明の効果】
【００１３】
本発明によれば、コンテンツを構成するファイルの必要性を瞬時に判断可能なコンテンツ処理装置、コンテンツ表示方法、及びプログラムを提供することができる。
【発明を実施するための最良の形態】
【００１４】
以下、本発明の実施の形態を図面に基づいて説明する。なお、本実施形態では、本発明に係るコンテンツ処理装置をＤＡＰに適用した場合について例示する。
【００１５】
図１は、本実施形態に係るＤＡＰ１００の概略構成を示すブロック図である。
図１に示すように、ＤＡＰ１００は、表示部１と、操作部２と、アンプ３と、出力部４と、記憶部５と、制御部６と、Ｉ／Ｆ７と、を備えて構成される。
【００１６】
表示部１は、例えば、液晶や有機ＥＬ（Electro Luminescence）等のディスプレイを備え、制御部６から出力された表示データに基づいて、楽曲情報等の各種情報（例えば、楽曲のトラック名や歌詞等のテキストファイル、ジャケット写真等の画像ファイル等）を表示する。
操作部２は、ＤＡＰ１００を操作するための操作キー群（例えば方向指示キー、決定キー、再生キー等）を備える。操作部２は、ユーザにより操作キーが押下されると、操作キーに応じた操作信号を生成し、制御部６に出力する。
【００１７】
アンプ３は、制御部６から出力された音声信号を増幅して出力部４に出力する。
出力部４は、アンプ３から出力された音声信号に基づく音声をヘッドホンやスピーカ、外部機器へ出力する。
【００１８】
記憶部５は、例えば、半導体メモリ（例えば、ＮＡＮＤ型ＦｌａｓｈＲＯＭ）やＨＤＤで構成され、音声ファイル（例えばｍｐ３、ｗｍａ、ａａｃ、ｗａｖ等）、画像ファイル（ｊｐｇ等）、テキストファイル（ｔｘｔ等）等の各種コンテンツを記憶する。なお、音声ファイルは、音源となる音声データの他、音声ファイルの基本的な情報について示したタグ情報（コンテンツ情報）を有する。
記憶部５に記憶された音声データは、制御部６で信号処理され、音声信号としてアンプ３に出力される。また、記憶部５に記憶された画像ファイルは、制御部６で信号処理され、表示部１に出力される。
【００１９】
制御部６は、例えば、ＣＰＵ（Central Processing Unit）６１、ＲＡＭ（Random Access Memory）６２、ＲＯＭ（Read Only Memory）６３、ＤＳＰ（Digital Signal Processor）６４等を備えて構成され、ＤＡＰ１００の各部を制御する。
ＣＰＵ６１は、ＲＯＭ６３に格納された処理プログラム等を読み出して、ＲＡＭ６２に展開して実行することにより、ＤＡＰ１００全体の制御を行う。
ＲＡＭ６２は、ＣＰＵ６１により実行された処理プログラム等を、ＲＡＭ６２内のプログラム格納領域に展開するとともに、入力データや上記処理プログラムが実行される際に生じる処理結果等をデータ格納領域に格納する。
ＤＳＰ６４は、音声ファイル、画像ファイル等のエンコードやデコード、音質調整等を行う。
ＲＯＭ６３は、例えば、半導体メモリで構成され、処理プログラムやデータ等が予め記憶されている。
【００２０】
また、ＲＯＭ６３は、データベースファイル（以下ＤＢファイル）を記憶している。ＤＢファイルは、例えば図２に示すように、記憶部５に記憶された音声ファイルに関するデータベースにより構成され、アルバム情報（Ａｌｂｕｍ情報）、アーティスト情報（Ａｒｔｉｓｔ情報）、ジャンル情報（Ｇｅｎｒｅ情報）、再生可能フラグ（Ｐｌａｙａｂｌｅ  Ｆｌａｇ）、再生日時（Ｐｌａｙ  Ｔｉｍｅｓｔａｍｐ）、親フォルダ名（親Ｆｏｌｄｅｒ  Ｎａｍｅ）、ファイル名（Ｆｉｌｅ  Ｎａｍｅ）等の情報で構成される。
本実施形態に係るＤＡＰ１００は、後述するＩ／Ｆ７を通じてＰＣから音声ファイルを取得する際、音声ファイルのタグ情報を抽出し、当該タグ情報に基づいてＤＢファイルを生成する。
【００２１】
上記したＤＢファイルには、例えば図３に示すように、当該音声ファイルが格納されたフォルダを示すＤＢパラメータ（以下フォルダパラメータ）、又はファイルを示すＤＢパラメータ（以下ファイルパラメータ）、が記録されている。
図３（ａ）に示すように、フォルダパラメータは、フォルダ個々に振付けられる「ＩＤ」、当該フォルダが属するフォルダに振付けられたＩＤを示す「親ＩＤ」、当該フォルダに属するファイルやフォルダの数を示す「子の数」、「フォルダ名（Ｆｏｌｄｅｒ  Ｎａｍｅ）」から構成される。
一方、図３（ｂ）に示すように、ファイルパラメータは、ファイル個々に振付けられる「ＩＤ」、当該ファイルが属するフォルダに振付けられたＩＤを示す「親ＩＤ」、「アルバム名」、「アーティスト名」、「ジャンル名」、当該ファイルが再生可能であるか否かを示す「再生可能フラグ」、当該ファイルが再生開始された年月日時刻を示す「再生日時」、「ファイル名」から構成される。
なお、フォルダパラメータの「ＩＤ」とファイルパラメータの「親ＩＤ」とが一致した場合は、当該フォルダ内に当該ファイルが含まれていることが示される。
【００２２】
Ｉ／Ｆ７は、例えば、ＳＤカード、ＵＳＢメモリ等の記憶媒体を着脱可能に構成され、当該記憶媒体との間で定められた形式に従って、音声ファイル等の送受信を行う。
【００２３】
このように、本実施形態に係るＤＡＰ１００は、再生対象となるコンテンツのコンテンツ名を表示する表示手段（表示部１）と、コンテンツと、コンテンツ名及びコンテンツの最終再生日時を含むコンテンツに関する情報と、を記憶する記憶手段（記憶部５）と、記憶手段に記憶されている最終再生日時と現在時刻からコンテンツごとの非再生期間を算出し、当該算出された非再生期間の長さに応じて、表示手段に表示させるコンテンツ名を構成する文字の色調を明瞭な色調から不明瞭な色調へ変化させる制御手段（制御部６）と、を備える。
本実施形態に係るＤＡＰ１００は、上記構成を備えることにより、コンテンツを構成するファイルの必要性を瞬時に判断することが可能となる。
【００２４】
図４は、視聴したいアルバムを選択したときに表示される画面の一例について示した図である。ここでは、ユーザが視聴したいアルバムとして「ＡＬＢＵＭ００２」を選択したときの表示画面について示している。
図４に示すように、ＤＡＰ１００の表示部１には、ＡＬＢＵＭ００２の楽曲一覧が表示されている。表示部１上部にはアルバム名「ＡＬＢＵＭ００２」が表示され、表示部１下部には楽曲一覧（Ｔｒａｃｋ００１〜Ｔｒａｃｋ００６）とスクロールバーが表示されている。ユーザが楽曲を選択する際に選択対象となったトラック名（図中Ｔｒａｃｋ００５）は、反転表示される。
以下、図４で示したような楽曲一覧表示の際に、楽曲ごとの非再生期間に応じて、表示される文字（トラック名）のフォントの色調を変更する動作について説明する。なお、本実施形態では、フォントの色調を変更する対象を文字（トラック名）に限定しているが、例えば、トラック名以外の文字や記号、数字等を対象とすることも可能である。
【００２５】
図５は、楽曲の非再生期間と当該楽曲に対応するトラック名を表示する際のフォントの色調との関係について示したテーブル図である。ここでの色調は、フォントが表示される明瞭度として表される。具体的には、明瞭度が１００％の場合はフォントが明瞭に表示され、明瞭度が下がるにつれて表示されるフォントの明瞭さが失われ、明瞭度が０％の場合は表示されるフォントが不可視となる。
例えば、フォント色が１００％で黒色であり、背景色が白色である場合には、明瞭度が下がるにつれて灰色が薄くなり、明瞭度が０％の場合にフォント色は白色となるため不可視となる。
なお、フォント色および背景色は任意であり、明瞭度１００％と定義した文字色から明瞭度０％と定義した背景色に順次色調を変化させる。
【００２６】
図５に示すように、楽曲の非再生期間が３０日以内であった場合は、フォントの明瞭度１００％の文字で表示部１に表示される。楽曲の非再生期間が３１〜９０日であった場合は、フォントの明瞭度８０％の文字で表示部１に表示される。楽曲の非再生期間が９１〜１８０日であった場合は、フォントの明瞭度６０％の文字で表示部１に表示される。楽曲の非再生期間が１８１〜３６０日であった場合は、フォントの明瞭度４０％の文字で表示部１に表示される。楽曲の非再生期間が３６１日以上であった場合は、フォントの明瞭度０％の文字で表示部１に表示されるためトラック名は不可視状態（非表示）となり、当該楽曲の音声ファイルは消去される。
なお、テーブル図の一番右の列には、各フォントの明瞭度に対応した文字の一例表示されている。
以下、本実施形態に係るＤＡＰ１００に図５のテーブル図を適用したときの表示画面について説明する。
【００２７】
（第１実施形態）
図６は、視聴したいアルバムを選択したときに表示される画面（フォントの明瞭度自動調整後）の一例について示した図である。
図６に示すように、Ｔｒａｃｋ００１、Ｔｒａｃｋ００２、Ｔｒａｃｋ００４はフォントの明瞭度１００％で表示されており、３０日以内に少なくとも１回以上は再生されていることが示されている。Ｔｒａｃｋ００３はフォントの明瞭度８０％で表示されており、非再生期間が３１〜９０日であることが示されている。Ｔｒａｃｋ００７はフォントの明瞭度６０％で表示されており、非再生期間が９１〜１８０日であることが示されている。なお、Ｔｒａｃｋ００５とＴｒａｃｋ００７の間に表示されていたＴｒａｃｋ００６に関しては、非再生期間が３６０日を超えていたため、音声ファイルごと消去されている。
このように、第１実施形態では、非再生期間をフォントの明瞭度により判断でき、非再生期間が所定の期間（３６０日）を超えた場合に、自動的に該当する音声ファイルを消去するので、ユーザは直感的に非再生期間を把握することができ、さらに長期間再生していない音声ファイルの管理の手間を省くことができる。
【００２８】
（第２実施形態）
次に、第２実施形態では、非再生期間が３６０日を超えた場合に、第１実施形態のように音声ファイルごとトラック名を削除するのではなく、音声ファイルは残しつつ、トラック名を不可視状態にする方法について図７を用いて説明する。
図７（ａ）に示すように、Ｔｒａｃｋ００２は非再生期間が３６０日を超えており、非表示の状態（不可視状態）となっている。ここで、ユーザが操作部２を操作することによりメニュー画面（図示せず）を操作し、メニューの中から「非表示一覧」を選択すると、図７（ｂ）に示すように、現在非表示に設定されている楽曲の一覧が表示される。当該非表示一覧においてユーザにより選択された楽曲には、フラグ（図中☆マーク）が付与される。当該フラグが付与された楽曲については、ユーザのメニュー操作により、例えば、図７（ｃ）に示すような選択ファイル処理を行うことができる。具体的には、当該楽曲を消去したり、或いは、当該楽曲のトラック名をフォントの明瞭度１００％で再表示させたりすることができる。
【００２９】
上記したように、第２実施形態では、音声ファイルは残しつつ、トラック名を不可視状態にする方法が採用されている。ここで、トラック名を不可視状態にした後、所定期間が経過した場合に、自動的に該当する音声ファイルを消去する方法について図８を用いて説明する。
図８（ａ）は図７（ａ）とまったく同一の図であるため、説明を省略する。図８（ｂ）は、図８（ａ）の状態（不可視状態）となってから所定期間（例えば３０日間）が経過した後、不可視となっていた楽曲（Ｔｒａｃｋ００２）が自動的に消去された様子が示されている。なお、所定期間については、ユーザが任意に設定できるものとする。
【００３０】
また、上記第２実施形態のように、トラック名を不可視状態にした場合において、ユーザにより当該不可視状態の楽曲が選択された場合に、当該楽曲を再生すると同時に、当該楽曲のトラック名を再表示する方法について図９を用いて説明する。
図９（ａ）は図７（ａ）及び図８（ａ）とまったく同一の図であるため、説明を省略する。図９（ｂ）は、図９（ａ）の状態（不可視状態）から、ユーザによって不可視となっていた楽曲（Ｔｒａｃｋ００２）が選択された様子が示されている。図９（ｂ）で選択され再生された楽曲のトラック名は、例えば図９（ｃ）に示すように、フォントの明瞭度１００％で自動的に再表示されることとなる。
【００３１】
以上、本発明に係る実施形態に基づいて具体的に説明したが、本発明は上記実施形態に限定されるものではなく、その要旨を逸脱しない範囲で変更可能である。
【００３２】
例えば、上記実施形態では、図５に示したテーブル図に規定されたフォントの明瞭度でトラック名を表示させるようにしているが、この限りではない。
図１０は、フォントの明瞭度に対応付ける非再生期間を設定する画面の一例について示した図である。
図１０に示すように、ユーザはフォントの明瞭度に対応付ける非再生期間を任意に設定することも可能である。一番上の段はフォントの明瞭度８０％に対応付けられており、同図では、非再生期間３１〜９０日が対応付けられている。真ん中の段はフォントの明瞭度６０％に対応付けられており、同図では、非再生期間９１〜１８０日が対応付けられている。一番下の段はフォントの明瞭度４０％に対応付けられており、同図では、非再生期間１８１〜３６０日が対応付けられている。
なお、図中真ん中の段の「９１」の欄の二重枠は、ユーザにより当該欄が選択されたことが示されている。例えば、フォントの明瞭度６０％の「９１」の枠が選択された状態で、ユーザにより上下キーが操作されると、日数の変更を行うことができる。ユーザにより日数の変更が行われた場合、フォントの明瞭度８０％の「９０」の欄も連動して変更されることとなる。
【図面の簡単な説明】
【００３３】
【図１】本実施形態に係るＤＡＰ１００の概略構成を示すブロック図である。
【図２】ＤＢファイルの構成について示した図である。
【図３】ＤＢパラメータの構成について示した図である。
【図４】視聴したいアルバムを選択したときに表示される画面の一例について示した図である。
【図５】楽曲の非再生期間と当該楽曲に対応するトラック名を表示する際のフォントの明瞭度との関係について示したテーブル図である。
【図６】視聴したいアルバムを選択したときに表示される画面（フォントの明瞭度自動調整後）の一例について示した図である。
【図７】トラック名が不可視状態の音声ファイルを復活させたり消去したりする方法の一例について示した図である。
【図８】不可視状態の音声ファイルを自動消去する方法の一例について示した図である。
【図９】不可視状態の音声ファイルのトラック名を再表示させる方法の一例について示した図である。
【図１０】フォントの明瞭度に対応付ける非再生期間を設定する画面の一例について示した図である。
【符号の説明】
【００３４】
１００  ＤＡＰ
１  表示部
２  操作部
３  アンプ
４  出力部
５  記憶部
６  制御部
６１  ＣＰＵ
６２  ＲＡＭ
６３  ＲＯＭ
６４  ＤＳＰ
７  Ｉ／Ｆ
【図１】
2010086094.tif 000003
【図２】
2010086094.tif 000004
【図３】
2010086094.tif 000005
【図４】
2010086094.tif 000006
【図５】
2010086094.tif 000007
【図６】
2010086094.tif 000008
【図７】
2010086094.tif 000009
【図８】
2010086094.tif 000010
【図９】
2010086094.tif 000011
【図１０】
2010086094.tif 000012